(57)【要約】      （修正有）【課題】ろうそく及び線香を燃やした時の燃えカスの周辺が汚く、且つ燃えカスのあとかたづけが簡易で、また燃えカスの発生が少なく、燃焼効率の高い墓石または仏前に使用する灯火セットを提供する。【解決手段】灯火セットは、ろうそく立て、線香立て４０をバット本体３１に構築してなる。ろうそく立ては、円筒形のハウジングと燃えカス受皿を有し、燃えカス受皿はバット本体３１にボルトとナットで締結される。線香立て４０は、円筒形のハウジング４５を有し、ハウジング４５の内側に、底板４７と、線香を入れるばね５５を有する。ハウジング４５の端部に受け皿５１をあてがい、受け皿５１の外側にバット本体３１を取付ける。【選択図】図４
0003163957.tif 000002
【実用新案登録請求の範囲】
【請求項１】
ろうそく立て及び線香立てを取付のバットで構成の灯火セットに於いて、
イ）ろうそくを囲む円筒形のハウジングを装着のハウジング取付けを用い、
ロ）テーパ部を形成する鍔付の差込みピンのねじでハウジング取付けの孔を通して反対側    からナットにてハウジングを締結して一体化し、
ハ）他方、縁の周囲に側板３８、折り曲げ板、長手方向に取り手にて、底付の箱を作り、    箱の底板には、ろうそく立て及び線香立ての取付孔を持ったバット本体と、
ニ）燃えカス受皿に頭部にねじ孔を持ったボルトを、バット本体のバカ孔に通して、燃え    カス受皿とバット本体をナットにて締結し、
以上より構成されたことを特徴とする、ろうそく立て用の  灯火セット。
【請求項２】
ろうそく立て及び線香立てを取付のバットで構成の灯火セットに於いて、
イ）線香を囲む空気取り入れ口を持つ円筒形のハウジングの内側に、おわん形状した底板    が溶着され、且つ  底板にもナットが溶着され、
ロ）ハウジングの内側に、円筒形状した螺旋状のばねを用い、そのばねの中で香を癒す線    香を束にて使用が可能な  ばね内径の寸法を設定した、
ハ）ばねは、一端が添え巻部を、他端はラッパ状巻部をもち、螺旋（円筒）径部を有して    いるが、ラッパ状と螺旋径部は、ばねの線径の間に隙間を持つばねで、
ニ）ばねの添え巻部の内径には、座金が複数で嵌合され、ハウジングの端部に凹部した受    け皿をあてがい、受け皿の外側にバット本体を取付けた、
以上より構成されたことを特徴とする、線香立て用の  灯火セット。
【請求項３】
バット本体に、横置き線香立てを取付けて構成された灯火セットに於いて、
イ）線香を横置きにして使用につき、ベッド形を一本の鋼線径にて構成する時は、両端部    の高さに、高（Ｈ２）、低（Ｈ１）の差をつけた  骨組のメインフレームを構成し、
ロ）メインフレームの骨組の両側をまたぎ、端部を上向けに間隔を持った寸度にした形状    の補強ガイドをメインフレームに取りつけ、その後に両側の鋼線径（丸棒）のフレー    ムに１本の細針金をわたして巻きつけて構成したフレーム、
ハ）このフレームを入れる為に鋼板で製作のフレームケース枠に入れた、
以上より構成されたことを特徴とする  横置き線香立て用の  灯火セット。
【請求項４】
バット本体に、線香立てを取付けて構成された灯火セットに於いて、
イ）ばねの線径（ｄ）は、０．６〜０．７ミリ、螺旋部の線径の線間は、（４×ｄ）、ば    ね材質は、ステンレス材で、有効巻数（Ｎ）は、５から８巻，全長Ｌは、（６０×ｄ    ）で、
構成されたことを特徴とする請求項２の線香立て用の  灯火セット。
【請求項５】
バット本体に、横置き線香立てを取付けて構成された灯火セットに於いて、
イ）細針金のばねの線径（ｄ）は、０．５〜０．７ミリ、骨格用の線材の径の線間のピッ    チＰは、Ｐ３≧Ｐ２≧Ｐ１であり、骨格用の線材の材質は、ステンレス材を使用し、
ロ）骨格のメインフレームの水平面からの高さは、Ｈ（高い）≧Ｌ（低い）なる条件で、
構成された事を特徴とする請求項３の  横置き線香立て用の  灯火セット。
【考案の詳細な説明】
【技術分野】
【０００１】  本考案は、墓地又は仏前にて用いられるろうそく立て及び線香立てに関するものである。
【背景技術】
【０００２】  従来の「ろうそく立て」としては、ピンまたは先端が尖った釘タイプのもの（特許文献１）がある。【０００３】また、「線香立て」の例としては、束になった線香を容器に設けた孔あきの保持具板に挿入して行うもの（特許文献２）及び円錐筒状した形状のものに線香を束にて挿入したとりつけのもの（特許文献１）がある。
一方、円筒形状の  コイルばねの中に線香の束をいれるもの。（特許文献３）
また、碁盤の目の金網の上に横置きするものがある。（特許文献４及び特許文献５）
【先行技術文献】
【特許文献】
【０００４】
【特許文献１】  特開２００６−２２５８７６号公報
【特許文献２】  特許登録第３０１１０６２号公報
【特許文献３】  実用登録第３０９３６７８号公報
【特許文献４】  実開平７−０２１９３２号公報
【特許文献５】  特開２００６−２４７３５５号公報、
【考案の概要】
【考案が解決しょうとする課題】
【０００５】  従来の「ろうそく立て」は、上記の「文献１」に示す様に墓台石板に先端の尖った釘タイプのろうそく立てを使用している。市販の殆どのものが、このタイプのものである。
これについては、ろうそくの燃え終わり時に、ろう材が外部に見えて見栄えが悪く環境的にも好ましくなかった。
また、燃え時に発生する燃えカスに相当する、ろう材の後処理の除去が容易でなかった。
【０００６】  本考案に近似の従来の「線香立て」には、上記の「文献２」に示す様に、孔あきの保持具板に線香の束（実例；５本から２０本くらいの線香にて）を挿入していたもの。
また、「文献１」に示す様な円錐形状になった筒に束にした線香を挿入して線香の香りを焚いた用い方をしていたが、線香を全焼をすることが出来ずになっていたので不経済であり、しかも、香りの有効な対応時間が短いために、特に仏前にては、その都度に取替えを必要とするので面倒であった。
尚、前記の「文献１」から「文献２」のものは、墓石にて使用することを主目的に市販されているものである。
【０００７】  「文献３」の仕様での確認結果では、線香を完全に燃焼する事ができない。
完全に燃焼をさせるには、ばねの仕様の選択を行うことが必要に思われる。
【０００８】  他方、前項と同様に「線香の横置き」タイプの「文献４及び文献５」のものでも、線香を完全に燃焼させることが出来ない。
よって、仏前にて線香を完全に末端までの燃焼をすることが経済的にも、また線香の香り時間を長くすることが特に望まれていた。
仏前の葬儀にて線香の香りが長く発生することは、対応する人手の行動を大幅に節約、即ち、線香への再びの火つけをする面倒さを解消することも望まれていた。
【考案が解決するための手段】
【０００９】  本考案は、前記のこれらの従来の関連文献のものを改良した  ろうそく立て及び線香立てをはじめ、これらを取付けの改良のバットで構成の灯火セットで対応したので、説明に当たり、まず総括的な概要を理解を容易にする為に従来例の図１（ａ）にて説明してから諸々の本考案の解決事項を、以下に順を追って墓石に使用主体に説明する。
まず図１（ａ）は、従来の墓石７６の外概斜視図を示したが、本考案のバットセットは、雨・風などの自然環境を最小限に防ぐ格好の墓石の香炉７８の中へ置く台座７９の上に置くバット（本体）セット３０ａに取付けの、ろうそく立て（１０ａ）及び線香立て（４０ａ）である。
但し、仏前で本考案の個々のもの使用時は、汎用的に使用したに過ぎないから割愛する。
【００１０】  図１（ｂ）の（Ａ，Ｃ）に示す  本考案のろうそく立て１０（詳細図は図３参照）は、ろうそくの燃えカスの除去を容易にするために、従来から使用の円錐形のハウジング（１５）の取付け（１８）に、本考案の燃えカス受皿２５を設けるがこれの取付けの脱着を簡単にしている。
一方、燃えカス受皿２５は、燃焼カスの粉が風にて飛散するものを環境美化の為に設けた広い面受けの底付き箱に設けた本考案のバット本体３１に取付けの頭部に（タップの）ねじを設けたボルトに、このねじに螺合する差込みピン２６の使用で、この脱着も簡単容易にした。
【００１１】  また、図１（ｂ）の（Ｂ）に示す  本考案の線香立て４０（詳細図は図４参照）は、線香の燃えカスの除去を容易にするために、従来から使用の円筒形のハウジング（４５）を本考案の受け皿５１に  取付け脱着も容易にした。
他方、燃えカスの受け皿５１は、線香の粉が風にて飛散するものを受ける為に広い面の底付き箱の本考案のバット本体３１に、取付けの脱着ボルト５２とナット５３を利用して脱着を容易にした。
且つ、円筒形のハウジング４５の内側に使用する線香４１の倒れ防止と、線香の完全燃焼を行うことで経済効果を出し、且つ線香の取替え時間の節約（仏前にて使用のときに特に効果あり）の為に、ばねの特殊形状と仕様の選定で対応した。
【００１２】  他方、横置き線香立て（図５）時にも、完全燃焼と燃えカスの除去の容易化の対応に、線香の横置きの為に使う細針金６８の配置と細針金の仕様の選定を考慮して対応した。
一方、細針金を取付けの骨格を構成するメインフレーム６６は、一本の針金（Φ２・５ミリ程度）にてベッド形を作製して対応する。
また、両側にある針金の間隔の保持と線香の束の一部がフレームケース枠７０の内側に干渉して火が消えるのを防止すのを兼ねる補強ガイド６７を用いた。
【考案の効果】
【考案の効果】
【００１３】  上述の様に、本考案は構成をしているので下記の様な効果を奏する。
イ）ハウジング１５の取付け（１８）に用いる鍔付の差込みピン２６のねじと、ろうそくの燃えカス受皿２５をバット本体３１に取付け用のボルト２２の頭部にねじ（タップ付）孔２１と螺合することで、ハウジングの取付の脱着が容易で  ろうそくの燃えカスの処理が簡単で容易である。
ロ）ナット５３を溶着した底板４７を（線香の灰が飛散する粉を受ける為の）ハウジング    （に溶着した）の端部に、受け皿５１をあてがい、パット本体３１下側から通しボル    ト５２を用い、底板の下側にてナット５３で締付ける構成であるから、線香の燃えカ    スを取除く時にボルトの端部のマイナス溝に銅貨を用いて簡単に分解が出来る。
ハ）線香立ての燃焼効率Ｋは、「（燃え残り長さＨ１）に対する線香の新品時の全長Ｈ２    の比の割合」を高める為に、ハウジング内に用いるばね５５を特殊仕様で対応した。
【００１４】    線香の燃焼効率を１００％に近づける為には、下記のような諸々の総合的な仕様の対  応で可能にした。（実施例での仕様の値を参考に示す）
Ａ）ばねの形状仕様；
ａ）円筒形のばね径ΦＤの線径Φｄで、線径の間に最小の隙間のあるばねを選定；
螺旋（円筒形）径部の有効長Ｌ２の範囲内でも、一端にはラッパ状の添え巻部の      線間にも、隙間を持つが、他端部には数巻きの密巻きの形状にした。
ｂ）密巻きの内径部には、座金５９を入れて用いるために  ばねは座りが安定する。
ｃ）他端部の数巻きの密巻きばねの外径は、ハウジングの内径に規制させる寸度に選        定している為に  ばねは、自然にハウジング内で座りがよい。
Ｂ）ばねの特定仕様；
ａ）ばねの線径ｄ＝０．６〜０．７、ばねの螺旋（円筒形）部全長＝（６０〜７５）      ｄ、螺旋部の線径間の隙間＝（４〜６）×ｄ、ラッパ状の線径間の隙間＝（２×ｄ      ）
ｂ）有効巻数＝５〜８巻、
ｃ）材質は、ステンレス材を使用。
【００１５】ニ）他方、横置きの線香立てに使用するメインフレーム６６に線香の置き場の傾きをする    為に（左右側の高さに、高（Ｈ２）、低（Ｈ１）の差をつけることで  ）線香の傾き    の高い側に火をつける事で線香の燃え具合を除々にする。
ホ）また、メインフレームの両側の細針金６８を高い側から右巻きにして針金の初めと終    りをフレームに巻きつける。
このときの針金のピッチは、Ｐ  ３  ≧  Ｐ  ２  ≧  Ｐ  １  の間隔にする為に    フレームの丸棒の側面に、Ｖ型の傷をつけた溝に針金６８をまきつけて行う。
ヘ）  尚、線香の束がフレームケース枠７０に接触しないようにする為に、メインフレー    ム６６の両側に線径Φ２．５ミリのステンレス材の補強ガイド６７を巻付きつけ、ガ    イドの切り端部を両側共に上向きにした所で線香の転がり位置を規制させる。
【図面の簡単な説明】
【００１６】
【図１】墓石（７６）の香炉の台座（７９）に置くバット３０ａ上の使用配置  （ａ）墓石の香炉の台座７９に置くバット３０ａの使用例  （ｂ）（Ａ）本考案のろうそく立て（１０）の断面図  （Ｂ）本考案の線香立て（４０）の断面図  （Ｃ）本考案のろうそく立て（１０）の断面図
【図２】本考案の取っ手付受皿のバットセット（３０）
【図３】本考案のろうそく立て（１０）  （ａ）本考案のろうそく立ての断面図  （ｂ）上記の実施例に使用のハウジングの取付け（１８）  （ｃ）上記の実施例に使用の差込みピン（２６）
【図４】本考案の線香立て（４０）  （ａ）本考案の線香立ての実施例の断面図  （ｂ）本考案の実施例に使用のばね（５５）の側面図（一部切断）
【図５】本考案の横置き線香立て（６０）  （ａ）本考案の横置き線香立て（６０）の斜視図  （ｂ）上記に使用の本考案のフレームアッシー（６５）の斜視図  （ｃ）上記のメインフレーム（６６）の（線径Φｄの側面の）切欠き溝  （ｄ）上記のメインフレーム（６６）のＡ矢視図
【図６】  本考案に関連の従来のもの（特許文献図）  （ａ）従来のバットの斜視図（その１）  （ｂ）従来のバットの斜視図（その２）  （ｃ）従来の特殊形状のばねの斜視図  （ｄ）従来の金網式の横置き線香立て斜視図（その１）  （ｅ）従来の金網式の横置き線香立て斜視図（その２）
【考案を実施するための形態】
【００１７】（１００）  墓石の台座７９上に置くバット本体３１に  ろうそく立て（１０）及び線香          立て（４０）を装着して構成されたものを  灯火セット（仮称で使う）とする          。
１０は、ろうそくの炎を経済的及び環境面から用いる  ろうそく立て。
１１は、墓石又は仏前にて使用する市販の購入品の  ろうそく。
１２は、ろうそくに火をつけて燃焼する時に出る  炎。
１５は、ろうそくを効率的に燃やすためのもので、円筒形内にろうそくを取付けるための    円筒形のハウジングである。
外径部には、空気取入れ孔（１６）を持ち、ステンレス材にて製作。
１８は、円筒形のハウジングの端部と嵌め合せて保持する４つの爪（キャツチャー部／１    ９）を持つ、ステンレス材にて製作のハウジングの  取付け。
２１は、ステンレス材のボルトの頭部に、ボルトのねじ径より小径のタップの  ねじ孔。
２２は、（頭部にタップ（ねじ）付の）ステンレス材の  ボルト。
２３は、ＪＩＳ規格品の平座金。  ２４は、ＪＩＳ規格品のナット。
２５は、ろうそくを燃焼させるときに発生する燃えカスを捕集する為の受ける皿で、ハウ    ジングの外径ΦＤ１より大径ΦＤ２にした寸度にされた  燃えカス受皿である。
センターにはボルト２２用のバカ孔があいていてステンレス材で製作されている。
２６は、ろうそくにくし指しをする為に、テーパ（２７）形状をして  ろうそくの位置決    めの為に径の一部に鍔（２８）を持ち、テーパの反対側にねじを持つ、ステンレス材    にて製作の  差込みピンである。
【００１８】３０は、ろうそく立て及び線香立てなどをバット本体３１に取付けて構成された、墓石の    台座（７９）の上に置いて灯火する為の  取っ手付受皿のバットセットである。
３１は、灯火時の燃えカス等の飛散粉を集塵する為に深さ（Ｈ）を持つ箱型に側板３８、    折り曲げ板（３７）にて成形され、幅の長手方向には取り手３２（ひさし）をつけて    、引き出しなどの取扱いを容易にしている  バット本体。
一方、箱底面にろうそく立て及び線香立て（４０）の取付孔３３、３４を設け、又    、雨などで箱底にたまる水抜き孔３６も設け、箱底の底面の裏側には、下駄の役目の    バットの脚板（３９）を両側に溶着して墓石の付近の環境面に注意をはらっている。
尚、横置き線香立て６０の使用時は、図２で示す底面の斜線部の置き場３５を使用    する。
【００１９】  次に、線香立て（４０）について述べる。
４１は、立て置き時の線香４１で、線香を燃やすときに発生の  炎４２である。
４５は、線香の燃え方が円滑になるために使用する  空気取り入れ口４６を持つ、ステン    レス材で使用の成形品の  円筒形のハウジングである。
尚、ハウジングの一端部には、ナット（５３）を溶着した底板４７のものが  円筒    形のハウジング４５に溶着されている。
５１は、線香の燃えカス及び粉を集塵する為の皿型のステンレス材にて成形された受け皿    であり、受け皿のセンターには、ボルト５２のバカ孔があいている。
尚、ボルト５２の端面に、銅貨にて  ねじの脱着が出来るマイナス溝を設けている    。
【００２０】  線香立てに使う  本考案の  ばね５５について下記にて説明する。
５５は、線香の燃えカスの発生の良否の燃焼効率（※）に関係する要因の  ばねである。
ばねの概要を下記する；
イ）ばね材質；ステンレス  ロ）線径；Φ０．６〜Φ０．７ミリ
ハ）線径ｄの隙間；（４×ｄ）  ニ）有効巻数；５〜８巻  ホ）全長；（６０×ｄ）
※［燃焼効率について］；
・燃焼効率（Ｋ）は、線香の火の熱伝達（Ｑ）の関数で下記の様に想定される。
⇒  下式の熱伝達率（∂）の値が、少ないほど、線香の火は、消え難い。
Ｋ  ≒  ｆ（Ｑ）＝  （ｋ・∂・Ａ・Δｔ）、、、、、式（１）
但し、
Ｑ    ＝  熱伝達
ｋ    ＝  補正係数（実験にての）
∂    ＝  熱伝達率
Ａ    ＝  接触表面積
Δｔ  ＝  温度差
５６は、ばねの端部で  ばねを密巻きにした所をいう。
なお、密巻き部のばねの外径をハウジング４５の内径と同じ径にして、ばねがハウジ    ング内でセンターリングされ、ばねが直立するためである。
５７は、線香の束（４１）をばねの中に挿入する時に入れ易くする為に、ばね端部をラッ    パ状にばねの巻径を次第に大きくした所の巻部を  ラッパ状巻部という。
５８は、ばねの内側に  立て置きの線香の束を入れる為に成形の螺旋径部である。
５９は、ばねを垂直にした場合、添え巻部が座金の錘で直立するために、ばね５５の内径    と座金の外径で嵌合させて使う  座金である。
【００２１】  次に、線香の燃焼効率及び燃えカス処理面から横置き線香立てに使う細針金６８について説明する。
６１は、横置き線香立てに使う線香である。
６２は、横置き時の線香の炎。
６４は、ロゴマークをデザインにしてフレームケース枠の前面に使った例。
６５は、横置き線香立てに使うステンレス線材で、メインフレーム６６の骨核を形成する    為に一本の線径＝Φ２・５ミリで図５（ｂ）の様なベッドの骨格に成形の  フレーム    。
尚、骨格の強度と線香の転がりを防止の補強ガイド６７は、端部にて規制する。
図５（ｂ）〜（ｄ）参照。
６８は、メインフレーム６６の骨格を構成する両側の線径ｄに橋渡した巻き付け方である    。ステンレス材の細針金の線径ｄ＝０．６〜０・７ミリを使用する  細針金である。
６９は、メインフレーム６６に針金を巻付け部。
【００２２】７０は、メインフレームを入れるところのフレームケース枠
７１は、ケース底板、      ７２は、ケース前板、
７３は、ケース後板        ７４は、ケース左板
７５は、ケース右板、  ７５ａ  切欠き
７６は、墓石
７７は、花立て、  ７８は、香炉、  ７９は、台座
８１は、従来のバット
８２は、従来の特殊ばね、  ８３は  ばねの螺旋（円筒部）、  ８４は  スタンド部
８５は、従来の金網容器入れ
８６は、従来の碁盤の目の金網容器
８７は、従来の碁盤の目の金網
【実施例】
【００２３】  以下、添付図面に従って説明する。
図３は、ろうそく立て（１０）の第一実施例を示す。
イ）  取つ手付受皿のバット本体３１に燃えカス受皿２５とハウジングの取付け１８をボ      ルト２２及びナット２４にて装着したろうそく立てに、
ロ）  差込みピン２６にろうそく１１を差込み、その後に円筒形のハウジング１５をハウ      ジングの取付け１８のキャツチャー１９で固定する。
ハ）  その後に  ろうそくに火をつける。【００２４】図４は、線香立て（４０）の第一実施例を示す。
イ）  取つ手付受皿のバット本体３１に、受け皿５１と円筒形のハウジング４５をボルト    ５２及びナット５３にて装着した線香立てに、
ロ）  ばねの各端に添え巻部５６とラッパ状の巻部５７を持つ特殊形状したばね５５の添    え巻部５６の内径に平座金に相当する座金５９で数枚を嵌合させる。（図４参照）
尚、円筒径部のばねの螺旋巻き線径とラッパ状の巻部の線径の間には隙間を持つばね    。
ハ）  前記の座金５９を入れたばねをハウジング４５の底部に入れ、その後にばねの中に    線香の束を入れ、線香の端部に火をつけ香りをたやす！    なお、
なお、線香の束の１回の使用本数は、１回に通常５〜１５本使用される！【００２５】図５は、（横置きの）線香立て（６０）の第二実施例を示す。
イ）  針金ΦＤ（例、Φ２．５）径の１本の線材で、ベット式の格好に骨格が組まれたメ    インフレーム６６になったものに細針金Φｄ（例、０．５ミリ）径をフレームの両側    の針金ΦＤに上側より時計周りに巻きつけたフレーム６５を構成している。
ロ）  フレームをフレームケース枠７０に入れ、横置き線香立て６０に構成する。
その後に、横置き用の線香６１の端部に火をつけ、香りを発生させる。
ハ）  この際、メインフレームの高い方に線香に火をつける。もちろん、線香に火をつけ      る際は、図２の取っ手付受皿のバットセット３０に横置き線香立て６０を装着した      後に火をつける。
【実施例】
【００２６】（１００）  灯火セット
１０  ろうそく立て
１１  ろうそく
１２  炎
１５（円筒形の）ハウジング
１６  空気取入れ口
１８（ハウジングの）取付け
１９  キャッチャー（部）
２１  ねじ（又は、タップ）孔
２２（頭部にタップ付の）ボルト
２３  平座金
２４  ナット
２５  燃えカス受皿
２６  差込みピン
２７  テーパ
２８  鍔
２９  脚板
３０（取っ手付受皿の）バットセット
３１  バット本体
３２（バットの）取り手
３３（ろうそく立ての）取付孔
３４（線香立ての）取付孔
３５（横置き線香立て）置き場
３６  水抜き孔
３７  折り曲げ板
３８  側板
３９（バットの）脚板
４０  線香立て
４１（立て置きの）線香
４２（立て置き時の）炎
４５（円筒形の）ハウジング
４６  空気取り入れ口
４７  底板
５０  線香の束
５１  受皿
５２  ボルト
５３  ナット      ５３ａ  タップ
５４  平座金
５５  ばね
５６  添え巻部
５７（ラッパ状の）巻部
５８  螺旋（円筒）径部
５９  座金
６０  横置き線香立て
６１（横置きの）線香
６２（横置きの）炎
６４  ロゴマーク
６５  フレーム
６６  メインフレーム
６７  補強ガイド
６８  細針金
６９（針金の）巻付け部
７０  フレームケース枠
７１  ケース底板            ７２  ケース前板
７３  ケース後板            ７４  ケース左板
７５  ケース右板            ７５ａ  切欠き
７６  墓石
７７  花立て
７８  香炉
７９  台座
８１（従来の）バット
８２    〃    特殊ばね
８３    〃  （ばねの円筒部の）螺旋
８４    〃    スタンド部
８５    〃    金網容器入れ
８６    〃  （碁盤の目の）金網容器
８７    〃  （碁盤の目の）金網
８８    〃  （金網の）置き場【００２７】ΦＤ  直径（記号；大径）、        Ｋ  燃焼効率、    Ｑ  熱伝達
ｄ    直径（記号；小径）
Ｈ    高さ  又は、深さ（記号）    Ｍｄ  ねじの径
Ｗ    横幅（記号）                Ｎ  （ばねの）有効巻数
Ｂ    奥行幅（記号）              Ｐ  （線間の）ピッチ
θ    角度（記号）
Ｌ  （全長の）長さ  又は、低い（記号）
【図１】
0003163957.tif 000003
【図２】
0003163957.tif 000004
【図３】
0003163957.tif 000005
【図４】
0003163957.tif 000006
【図５】
0003163957.tif 000007
【図６】
0003163957.tif 000008
【手続補正書】
【提出日】平成22年6月23日(2010.6.23)
【手続補正１】
【補正対象書類名】実用新案登録請求の範囲
【補正対象項目名】全文
【補正方法】変更
【補正の内容】
【実用新案登録請求の範囲】
【請求項１】
ろうそく立て、線香立てをバット本体に構築してなる灯火セットに於いて、
Ａ）  ろうそく立ては、
イ）ろうそくを囲む円筒形のハウジングを装着のハウジングの取付けを用い、
ロ）テーパ部を形成する鍔付の差込みピンのねじでハウジングの取付け孔を通して反対側からナットにてハウジングを締結して一体化し、
ハ）他方、バット本体は、１枚の銅板のから周囲を折り曲げ、折り曲げの長手方向の１部に取り手をもち、平面の板にはろうそく立て、線香立て取付孔を持ち、
ニ）燃えカス受皿に、頭部にねじ孔を持ったボルトをバット本体のバカ孔に通して、燃えカス受皿とバット本体をナットにて締結して、
構成された  ろうそく立てであり、
Ｂ）  線香立ては、
イ）線香を囲む空気取り入れ口を持つ円筒形のハウジングの内側に、おわん形状した底板が溶着され、且つ  底板にもナットが溶着され、
ロ）ハウジングの内側に、線香を入れるばねを用い、そのばねの中で香を癒す線香を束にて使用が可能な、ばね内径の寸法をもち、
ハ）ばねは、螺旋を有しているが、一端は添え巻部を、他端はラッパ状巻部をなし、ラッパ状と螺旋径部は、ばねの線径の間に隙間を持ち、
ニ）ばねの添え巻部の内径には、座金が複数で嵌合され、ハウジングの端部に凹部した受け皿をあてがい、受け皿の外側にバット本体を取付け、
構成された  線香立てであり、
Ｃ）  横置き線香たては、
イ）線香を横置き使用時は、鋼材の線径にてベッド形を構成させ、
ロ）ベッド形の成形時は、長手方向の両端部の高さに差、Ｈ２＞Ｈ１なる骨組のメイフレームにし、
ハ）両側の鋼の線径のフレームに細針金をわたして巻きつけて構成したフレームをフレーム枠に入れ、
構成された  横置き線香立てであり、
以上より構成されたものが、バット本体に構築された事を特徴とする  灯火セット。
【請求項２】
Ａ）  線香立てのコイルばねは、
イ）ばねの線径（ｄ）は、０．６ミリ〜０．７ミリ、
ロ）線径の線径間の隙間は、（４〜６）ｄミリ、
ハ）ばねの材質は、ステンレス材を使用し、
ニ）有効巻数（Ｎ）は、５巻から８巻、
であることを特徴とする請求項１の灯火セット。
Ｂ）  横置きの線香立ての細針金は、
イ）細針金の線径（ｄ）は、０．６ミリ〜０．７ミリ、
ロ）骨格用の線径の線径間のピッチＰは、Ｐ３≧Ｐ２≧Ｐ１であり、
ハ）ばねの材質、骨格用の線材の材質は、ステンレス材を使用した、
ことを特徴とする請求項１の灯火セット。
【手続補正書】
【提出日】平成22年8月16日(2010.8.16)
【手続補正１】
【補正対象書類名】実用新案登録請求の範囲
【補正対象項目名】全文
【補正方法】変更
【補正の内容】
【実用新案登録請求の範囲】
【請求項１】
ろうそく立て、線香立てをバット本体に構築してなる灯火セットに於いて、
Ａ）  ろうそく立ては、
イ）ろうそくを囲む円筒形のハウジングを装着のハウジングの取付けを用い、
ロ）テーパ部を形成する鍔付の差込みピンのねじでハウジングの取付け孔を通して反対側からナットにてハウジングを締結して一体化し、
ハ）他方、バット本体は、１枚の鋼板の周囲を折り曲げ、折り曲げの長手方向の１部に取り手をもち、平面の板にはろうそく立て、線香立て取付孔を持ち、
ニ）燃えカス受皿に、頭部にねじ孔を持ったボルトをバット本体のバカ孔に通して、燃えカス受皿とバット本体をナットにて締結して、
構成された  ろうそく立てであり、
Ｂ）  線香立ては、
イ）線香を囲む空気取り入れ口を持つ円筒形のハウジングの内側に、おわん形状した底板が溶着され、且つ  底板にもナットが溶着され、
ロ）ハウジングの内側に、線香を入れるばねを用い、そのばねの中で香を癒す線香を束にて使用が可能な、ばね内径の寸法をもち、
ハ）ばねは、螺旋を有しているが、一端は添え巻部を、他端はラッパ状巻部をなし、ラッパ状と螺旋径部は、ばねの線径の間に隙間を持ち、
ニ）ばねの添え巻部の内径には、座金が複数で嵌合され、ハウジングの端部に凹部した受け皿をあてがい、受け皿の外側にバット本体を取付け、
構成された  線香立てであり、
Ｃ）  横置き線香たては、
イ）線香を横置き使用時は、鋼材の線にてベッド形を構成させ、
ロ）ベッド形の成形時は、長手方向の両端部の高さに差、Ｈ２＞Ｈ１なる骨組のメインフレームにし、
ハ）両側の鋼の線径のフレームに細針金をわたして巻きつけて構成したフレームをフレーム枠に入れ、
構成された  横置き線香立てであり、
以上より構成されたものが、バット本体に構築された事を特徴とする  灯火セット。
【請求項２】
Ａ）  線香立てのコイルばねは、
イ）ばねの線径（ｄ）は、０．６ミリ〜０．７ミリ、
ロ）線径の線径間の隙間は、（４〜６）×ｄミリ、
ハ）ばねの材質は、ステンレス材を使用し、
ニ）有効巻数（Ｎ）は、５巻から８巻であり、
Ｂ）  横置きの線香立ての細針金は、
イ）細針金の線径（ｄ）は、０．６ミリ〜０．７ミリ、
ロ）骨格用の線径の線径間のピッチＰは、Ｐ３≧Ｐ２≧Ｐ１であり、
ハ）ばねの材質、骨格用の線材の材質は、ステンレス材を使用した、
ことを特徴とする請求項１の灯火セット。